(57)【特許請求の範囲】
【請求項１】
光学アライメント測定のため測定場所に固定して使用され、反射ミラーを有するアライメント調整装置であって、
前記反射ミラーの下部に固定された軸部と、
該軸部の下端に固定された球状部と、
該球状部を３軸回りに回転可能に保持するとともに、該球状部を回転不可に固定可能な軸受と、
該軸受を前記測定場所に固定するための取付台と、
前記反射ミラーの周面を囲むように配置されるとともに前記取付台に支持される保持金具と、
該保持金具を貫通するねじ穴に螺合し、前記反射ミラーの周面に当接可能な複数の押しねじとを備え、
該複数の押しねじを操作することにより前記反射ミラーの角度を微調整可能であることを特徴とするアライメント調整装置。
【請求項２】
前記軸受と、前記取付台とが一体に形成されることを特徴とする請求項１記載のアライメント調整装置。
【発明の詳細な説明】
【０００１】
【発明の属する技術分野】
本発明は、アライメント調整装置に関し、特に、衛星搭載用の光学観測機器や、高指向性アンテナ等の組立調整、検査等のために実施される光学アライメント測定等において使用されるアライメント調整装置に関する。
【０００２】
【従来の技術】
従来、衛星搭載用の光学系観測機器や、高指向性アンテナ等の組立調整、検査等で実施される光学アライメント測定において使用されるアライメント調整装置は、図５及び図６に示すように、キューブ状の反射ミラー２２と、この反射ミラー２２を固定する取付台２３とが一体化された構造を特徴としている。
【０００３】
このアライメント調整装置２１は、光学アライメント測定の対象となる機器の基準となる指向方向に合わせて、固定ボルト２５により衛星構体等の一部に取り付けられ、その際、例えば、機器の指向方向と、レーザー光等を反射するための反射ミラー２２との間の相対角を測定し、この相対角が一定の許容範囲内に入るようにアライメント調整装置２１を取り付ける必要がある。
【０００４】
そのため、取付台２３の取付面２４を切削したり、取付面２4と図示しない取付部との間にシムを挿入することにより、アライメント調整装置２１の取付角の調整を行っていた。
【０００５】
【発明が解決しようとする課題】
しかし、上記従来のアライメント調整装置においては、取付台２３の取付面２４を切削したり、取付面２4と取付部との間にシムを挿入することによりアライメント調整装置２１の取付角の調整を行っていたため、機器の指向方向と、反射ミラー２２との間の相対角を調整するためには、一旦アライメント調整装置を取り外し、切削代の角度の算出やシム厚の算出等を行う必要があり、調整作業時間の増大、及び調整精度が低下するという問題があった。
【０００６】
そこで、本発明は、上記従来のアライメント調整装置における問題点に鑑みてなされたものであって、取付面を切削したり、取付面と取付部との間にシムを挿入する必要がないため、取付部からアライメント調整装置を取り外す必要がなく、作業性が良く、調整精度の高いアライメント調整装置を提供することを目的とする。
【０００７】
【課題を解決するための手段】
請求項１記載の発明は、光学アライメント測定のため測定場所に固定して使用され、反射ミラーを有するアライメント調整装置であって、前記反射ミラーの下部に固定された軸部と、該軸部の下端に固定された球状部と、該球状部を３軸回りに回転可能に保持するとともに、該球状部を回転不可に固定可能な軸受と、該軸受を前記測定場所に固定するための取付台と、前記反射ミラーの周面を囲むように配置されるとともに前記取付台に支持される保持金具と、該保持金具を貫通するねじ穴に螺合し、前記反射ミラーの周面に当接可能な複数の押しねじとを備え、該複数の押しねじを操作することにより前記反射ミラーの角度を微調整可能であることを特徴とする。
【０００８】
請求項２記載の発明は、前記軸受と、前記取付台とが一体に形成されることを特徴とする。
【００１０】
そして、請求項１記載の発明によれば、反射ミラーが軸部を介して球状部に固定されて、球状部を、軸受によって、３軸回りに回転可能に保持された状態で固定することができるため、結局、反射ミラーを３軸回りに回転可能に保持された状態で固定することができ、アライメント測定時に反射ミラーを取り外すことなく、かつリアルタイムに反射ミラーの取付調整を行うことができる。さらに、前記反射ミラーの周面を囲むように配置されるとともに前記取付台に支持される保持金具と、該保持金具を貫通するねじ穴に螺合し、前記反射ミラーの周面に当接可能な複数の押しねじを備えるため、該複数の押しねじを操作することにより反射ミラーの角度を微調整することができる。
【００１１】
請求項２記載の発明によれば、前記軸受と、前記取付台とが一体に形成されるため、構成がより簡易となり、アライメント調整装置の組み立てをより容易に行うことができる。
【００１３】
【発明の実施の形態】
次に、本発明にかかるアライメント調整装置の実施の形態の具体例を図面を参照しながら説明する。
【００１４】
図４に示すように、本発明にかかるアライメント調整装置１は、反射ミラー２と、軸部３と、球状部４と、軸受５等で構成される。
【００１５】
反射ミラー２は、キューブ状に形成され、その下面には、軸部３が固定される。さらに軸部３の自由端には、球状部４が固定され、反射ミラー２と、軸部３と球状部４とは一体に構成される。
【００１６】
軸受５は、金具５ａと、金具５ｂとの半割の二つの部材が互いに対称形状となるように形成され、この軸受５は、従来のアライメント調整装置２１の取付台２３としても機能する。尚、取付台を軸受５と別個に設けることももちろん可能である。
【００１７】
例えば、金具５ａについて説明すると、その内面５ａ１は球面状に形成され、金具５ｂとの接合の際に使用される取付穴５ａ２と、アライメント調整装置１全体を衛星構体の一部等に固定するための取付穴５ａ３と、軸受押え板７を取り付けるためのねじ穴５ａ４が設けられる。尚、金具５ｂも金具５ａと同様に形成される。
【００１８】
そして、固定ねじ６、８及び軸受押え板７を介して、金具５ａと、金具５ｂとが接合され、金具５ａと、金具５ｂとの相対向する内面５ａ１、５ｂ１の間に球状部４が収容、支持される。尚、金具５ａと、金具５ｂはこれらの接合面（金具５ａの場合には５ａ５が相当する）に隙間を設けているため、固定ねじ６を締め付けることにより球状部４を固定し、緩めることにより、球状部４を中心に反射ミラー２の３軸回りの回転が可能となる。
【００１９】
保持金具９は、その内部に反射ミラー２を３軸方向に回転可能に収容するために備えられ、側面が上下及び側方が開放されたフレーム状に形成される。この保持金具９の上方の側面には、保持金具９ａが穿設され、この保持金具９ａに螺合する雄ねじ部を有する押しねじ１０が各側面に備えられる。そして、保持金具９を図示しないフレームを介して金具５ａ及び金具５ｂに固定し、押しねじ１０を操作することにより反射ミラー２が３軸方向に回転可能となり、反射ミラー２の角度を微調整することができる。
【００２０】
次に、上記構成を有するアライメント調整装置１を組み立てた状態を示す図１乃至図３を参照しながら、アライメント調整装置１の使用方法について説明する。
【００２１】
まず、組み立てた状態のアライメント調整装置１を、図示しない衛星構体の一部等に固定する。この際、金具５ａの接合面５ａ３と、金具５ｂの接合面５ｂ３を介して図示しないボルト等によって固定する。
【００２２】
次に、固定ねじ６を緩めて、球状部４を中心として反射ミラー２を３軸回りに回転し、例えば、光学アライメント測定の対象となる機器の指向方向と、反射ミラー２との間の相対角を一定の許容範囲内に入るように、反射ミラー２の角度をある程度調整する。反射ミラー２の位置が定まると、固定ねじ６を締め付けることにより球状部４を固定するが、この時には、固定ねじ６を完全に締め付けず、球状部４を移動可能に保持する。
【００２３】
次に、押しねじ１０を使用して、反射ミラー２を３軸方向に回転させて、反射ミラー２の角度を微調整する。そして、前記相対角が一定の許容範囲内に入るように調整できた段階で、固定ねじ６を完全に締め付けて調整が完了する。
【００２４】
【発明の効果】
請求項１記載の発明によれば、アライメント測定時に反射ミラーを取り外すことなく、かつリアルタイムに反射ミラーの取付調整を行うことができるため、作業性が良く、調整精度の高いアライメント調整装置を提供することができる。
【００２５】
請求項２記載の発明によれば、組み立てをより容易に行うことができるアライメント調整装置を提供することができる。
【００２６】
請求項３記載の発明によれば、反射ミラーの角度を微調整することが可能なアライメント調整装置を提供することができる。
【図面の簡単な説明】
【図１】本発明にかかるアライメント調整装置の一実施例を示す斜視図である。
【図２】図１に示すアライメント調整装置の上面図である。
【図３】図１に示すアライメント調整装置の側面図である。
【図４】図１に示すアライメント調整装置の分解斜視図である。
【図５】従来のアライメント調整装置の一例を示す斜視図であって、斜め上方から見た状態を示す図である。
【図６】従来のアライメント調整装置の一例を示す斜視図であって、斜め下方から見た状態を示す図である。
【符号の説明】
１            アライメント調整装置
２            反射ミラー
３            軸部
４            球状部
５            軸受
５ａ、５ｂ    金具
６、８        固定ねじ
７            軸受押え板
９            保持金具
１０          押しねじ
【図１】
0003895862.tif 000002
【図２】
0003895862.tif 000003
【図３】
0003895862.tif 000004
【図４】
0003895862.tif 000005
【図５】
0003895862.tif 000006
【図６】
0003895862.tif 000007